(57)【要約】【課題】  ユーザによる登録設定なしに、既存の付属キーで、一回の操作で選択することができるリモコン送信装置を提供することにある。【解決手段】  少なくとも１つの入力ポートに映像音声信号が入力されるＴＶモニターを制御するリモコン送信装置であって、ＴＶモニターの画面を上記映像音声信号が入力された入力ポートに合わせる場合に（録画機器の設定画面）、ＴＶモニターに対して１回のキー操作で少なくとも１回以上信号を送信するキーを設けたことを特徴とする【選択図】  図１
2006339853.tif 000002
【特許請求の範囲】
【請求項１】
少なくとも１つの入力ポートに映像音声信号が入力される電子機器を制御するリモコン送信装置であって、
前記電子機器の画面を前記映像音声信号が入力された前記入力ポートに合わせる場合に、前記電子機器に対して１回のキー操作で少なくとも１回以上信号を送信するキーを設けたことを特徴とするリモコン送信装置。
【請求項２】
前記電子機器に対して１回のキー操作で１回信号を送信する第１のキーと、１回のキー操作で複数回信号を送信する第２のキーを、それぞれ別個に設けたことを特徴とする請求項１記載のリモコン送信装置。
【請求項３】
前記第２のキーの押下によって、前記複数回信号が送信されている間、ユーザへ送信中であることを案内する請求項２記載のリモコン送信装置。
【請求項４】
前記複数回信号を送信する際、１回の送信と次の送信との間の送信時間幅を可変可能とすることを特徴とする請求項２記載のリモコン送信装置。
【請求項５】
前記第２のキーは、複数回信号を送信する複数のキーを有し、このキーの中で少なくとも過去２回以上用いられたキーを知らせる案内機能を設けたことを特徴とする請求項２記載のリモコン送信装置。
【発明の詳細な説明】
【技術分野】
【０００１】
この発明は、録画機器とそのモニターとしてのテレビジョン受信機のように相互に関連付けて組み合わされた異種の機器を遠隔操作するのに用いるリモコン送信装置に関する。
【背景技術】
【０００２】
斯かる録画機器（例えば、ＤＶＤレコーダ）とＴＶモニターとによる画像再生システムにおいて再生する場合、先ずＤＶＤレコーダの電源をオンにしてＤＶＤを装着した後に、ＴＶモニターの電源をオンにし、このＴＶモニターの入力モードを「ＶＩＤＥＯ」に設定し、さらにＤＶＤレコーダの再生キーをオン操作するといった具合で極めて煩わしい操作をしている。
【０００３】
このような煩わしい操作をしないでも自分の意図した操作が簡単に行えるリモコン送信装置に関する提案がなされている。例えば、特開平６−３１１５６２号公報（特許文献１）には、リモコン送信器の指定した任意のボタンに、使用者の好みに合わせた複数個のプログラムを設定し、該任意のボタンを押すことにより、複数個のプログラムした操作を順次送信し、該リモコン送信器のキー入力エンコーダーと命令デコーダーの間にメモリ切換スイッチと記憶装置と登録キーを設けてなるリモコン送信器が開示されている。すなわち、毎日行う定形リモコン操作を、任意のボタンに操作手順をプリセットし、該任意のボタンを１回押すだけで複数定形操作を順次行うことが可能なリモコン送信器である。
【特許文献１】特開平６−３１１５６２号公報
【発明の開示】
【発明が解決しようとする課題】
【０００４】
上記特許文献１に記載の技術によると、ＴＶモニターを録画機器に設定する場合、ユーザーがリモコンに記録設定した後、一回の操作で選択が可能となるが、既存のキーでは即操作させる事は不可能で、この設定を、ユーザーにて実施しなければならず、結局煩わしい操作を省略することはできない。
【０００５】
そこで、本発明は上記の問題を解決するために成されたものであり、ユーザによる登録設定なしに、既存の付属キーで、一回の操作で選択することができるリモコン送信装置を提供する。
【課題を解決するための手段】
【０００６】
上記した課題を解決するために、この発明は、少なくとも１つの入力ポートに映像音声信号が入力される電子機器を制御するリモコン送信装置であって、前記電子機器の画面を前記映像音声信号が入力された前記入力ポートに合わせる場合に、前記電子機器に対して１回のキー操作で少なくとも１回以上信号を送信するキーを設けたことを特徴とする。
【発明の効果】
【０００７】
この発明によれば、ＴＶモニターに接続されている入力ＩＤに、リモコン１回のキー操作で移行が可能であり、ユーザの操作を煩わせることなく簡単に操作することができる。
【発明を実施するための最良の形態】
【０００８】
以下、この発明の実施例について、図面を参照しながら詳細に説明する。
【０００９】
図１は、本発明の実施の形態に係るリモコン送信装置の外観図である。
【００１０】
図１のリモコン送信装置３０に示すように、１は、録画機器を操作するためのキー群で、録画プログラムの再生、録画等々を行う。２は、録画機器に接続されたＴＶモニター（電子機器）を制御するキー群である。３は、ＴＶモニターの電源を入切する「ＴＶ電源キー」である。４は、ＴＶモニターの入力切替する「ＴＶ入力切替」するキーである（第１のキー）。５は、ＴＶモニターの入力切替する「ＴＶ入力切替２」するキーである。６は、ＴＶモニターの入力切替する「ＴＶ入力切替３」するキーである。７は、ＴＶモニターの入力切替する「ＴＶ入力切替４」するキーである。８は、発行送信の時間幅を変更する「時間幅設定」するキーである。９は、ユーザへ送信回数等を知らせるＬＣＤパネルである。５〜７は、複数回送信できるキーとして第２のキーとする。
【００１１】
ユーザーが、録画機器を操作する場合、まずは、録画機器本体の電源を投入し、接続されているＴＶモニターの電源を投入する。ＴＶモニターの電源は、録画機器のリモコン送信装置３０で、ＴＶ電源キー３の「ＴＶ電源」を用いる事でも可能である。ＴＶモニターの電源が投入された後、ＴＶモニターの画面を、録画機器に設定する。例えば、ＴＶモニター付属のリモコンにある「入力切替」を操作して、画面を録画機器に設定する。録画機器のリモコン送信装置３０では、４の「ＴＶ入力切替」するキーで同様の操作が可能である。
【００１２】
図２は、各入力切替キーと発行送信の関係を示したタイムチャートである。
【００１３】
図２に示すように、本発明のリモコン送信装置３０には、キー５、６、７のＴＶモニターの入力切替する別なキーが付属されている。このキー５の「ＴＶ入力切替２」では、該「入力切替」を押す事により、ＴＶモニター用の「入力切替」信号を２回発光送信する。このキー６の「ＴＶ入力切替３」では、該「入力切替」を押す事により、ＴＶモニター用の「入力切替」信号を３回発光送信する。このキー７の「ＴＶ入力切替４」では、該「入力切替」を押す事により、ＴＶモニター用の「入力切替」信号を４回発光送信するようになっている。
【００１４】
ユーザーが使用しているＴＶモニターで、録画機器が入力１に接続されている場合は、該「ＴＶ入力切替」を押す事により、ＴＶモニター用の「入力切替」信号を１回発光送信し、ＴＶモニターを録画機器に設定出来る。ユーザーが使用しているＴＶモニターで、録画機器が入力２に接続されている場合は、該「ＴＶ入力切替」を２回押す事により、ＴＶモニター用の「入力切替」信号を２回発光送信し、ＴＶモニターを録画機器に設定出来る。本発明を用いたリモコン送信装置３０では、該「ＴＶ入力切替２」が設けられており、該「ＴＶ入力切替２」を１回だけ押す事で、ＴＶモニターを録画機器に設定出来る。同様な場合で、ユーザーが使用しているＴＶモニターで、録画機器が入力３に接続されている場合は、該「ＴＶ入力切替」を３回押す事により、ＴＶモニター用の「入力切替」信号を３回発光送信し、ＴＶモニターを録画機器に設定出来るが、本発明を用いたリモコンでは、該「ＴＶ入力切替３」が設けられており、該「ＴＶ入力切替３」を１回だけ押す事で、ＴＶモニターを録画機器に設定出来る。
【００１５】
この複数回の発光送信は、１回の発光送信に比べ、時間が長くなる。この複数回の送信発光で、１回の発光送信時間後に、発光送信終了と認識されリモコンの向きを変えられると、最後の発光送信まで、ＴＶモニター側は受信できない。このため、本発明のリモコン送信装置３０では、送信中であることをユーザーに案内する。８は、送信中を示す可視光ＬＥＤで、まだ送信期間中は、発光して、ユーザーに通知する。また、リモコン送信装置３０の一例で、リモコン付随のＬＣＤパネル９で送信回数を表示したり、送信中であることを、ユーザーに通知したりすることができる。
【００１６】
図３は、時間幅設定キーの押下回数と発光送信の時間間隔との関係を示したタイムチャートである。
【００１７】
複数回の発光送信は、一回の発光送信と次の発光送信との一定の時間を空けて送信する。この時間は、使用しているＴＶモニターにより、受付可能な時間幅がある。例えば、ＡのＴＶモニター（設定Ａ）では、「入力切替」受光開始から、次の「入力切替」受光開始までの時間幅が１０８ｍＳの時間で受付け可能で、受け付けた回数だけ、画面の入力切替を実施する。ＢのＴＶモニター（設定Ｂ）では、「入力切替」を受光後、一度画面を切り替えた後で、次の「入力切替」が受付け可能となる仕様であり、画面切替に０．３秒を要する仕様であれば、「入力切替」と次の「入力切替」受付には０．３秒以上の時間が必要である。ここで本発明のリモコン送信装置３０では、ユーザーがこの時間幅を設定変更する事が可能で、使用しているＴＶモニターに合わせる事が出来る。本実施例では、時間幅設定キー８を１回押す事で、１０８ｍＳ単位で時間幅を大きくすることが出来る構成となっており、図示するように時間幅設定キー８を２回押す事で、時間幅を３２４ｍＳに設定することができる。
【００１８】
このように時間幅の設定をユーザが簡単に変更することができると、種々のＴＶモニターの時間幅に合わせることができるため、本リモコン送信装置３０にあるような複数回の発光送信できるＴＶ入力切替２、３、４（キー５、６、７）でも対応が可能である。
【００１９】
図１のリモコンでは、自動で「入力切替」を複数回送信する複数のキーが設けられているが、ユーザーが使用しているＴＶモニターと録画機器との接続にて、使用するキーが絞られる。
【００２０】
図４は、録画機器とＴＶモニターが接続されている一例である。図４の例では、ユーザーが使用しているＴＶモニター１１の入力が４系列（ＴＶモニター前面に入力ポート１、背面に入力ポート２、入力ポート３、入力ポート４が配置）ある。録画機器１２の出力ポート１からＴＶモニター１１の入力ポート２に映像・音声接続コードが接続されている場合、ＴＶモニター画面を録画機器１２に合わせる場合には、「入力切替」を２回発光送信すればよく、すなわち「ＴＶ入力切替２」を押す事で、１回の操作で自動的にＴＶモニター画面を録画機器１２にする事が出来る。また、元のＴＶ画面に戻る場合は「入力切替」を３回送信すればよく、「ＴＶ入力切替３」を押す事で、それぞれ１回の操作で自動的にＴＶモニター画面を切替する事が出来る。
【００２１】
図５は、リモコン送信装置のブロック構成の概略図である。
【００２２】
リモコン送信装置３０は、リモコン操作キー２１と、入出力ポート２２、ＣＰＵ２３、ＲＯＭ２４、ＲＡＭ２５、出力ポート２６、送信部２７とからなる。
【００２３】
リモコン操作キー２１は入力切替２（キー５）等のキー群であり、ＣＰＵ２３はＲＯＭ２４に格納されているシステムプログラムに基づいて装置全体を制御する。例えば、入力切替２キーが押された場合、ＣＰＵ２３はＲＯＭ２４のシステムプログラムに基づいて、押されたキーが入力切替２（キー５）であることを認識し、出力ポート２６を介して送信部２７から２回発光送信される。なお、時間幅設定キー８が押された場合は、入出力ポート２２を通じて入力された時間幅の発光条件の設定データをＲＡＭ２４に一時記憶させる。例えば、ＣＰＵ２３は入力切替２（キー５）１回と時間幅設定キー８が２回押された場合は図３に示すように、発光送信する間隔が３２４ｍｓで送信されるようになっている。
【００２４】
なお、他の実施形態として、図４のように録画機器１２に接続されたＴＶモニター１１（ここでは、入力ポート２に接続されたとする）を制御するキー群で、ＴＶモニター１１への制御で良く使われる操作に使われる機能キーは、録画機器１２の選択（すなわち、ＴＶ入力切替２（キー５））と、録画機器選択からの復帰に用いる機能キー（すなわち、ＴＶ入力切替３（キー６））であり、この機能キーを過去２回用いられたキーとして記録し、該２つの機能キーを発光することで、ユーザーに通知するよう構成した。この場合、入力切替２（キー５）とＴＶ入力切替３（キー６）について説明したが、ＴＶモニター１１を制御するキーであれば何でもよい。
【００２５】
このように本発明のリモコン送信装置を用いることで、録画機器で接続されるＴＶモニターで画像を視聴する際、ＴＶモニターで必要となる複数回を要する操作が、録画機器付属のリモコンでの１回の操作で可能することで、使い勝手を向上させることが出来る。
【００２６】
また本発明では、複数回送信中にリモコン向きを変えられないように、案内機能を設ける事で、確実に送受信させるような機能を追加した。
【００２７】
また本発明では、接続されるＴＶモニターのリモコン受信仕様に合わせるべく、複数回送信のそれぞれの間隔を、ユーザーにより設定可変を可能とする機能を設けた事で、より確実に画像モニターを制御する。
【００２８】
またＴＶモニターへの制御で良く使われる操作、具体的には、録画機器の選択と、録画機器選択からの復帰に用いる機能キーを、過去２回使用したキーとして記憶し、そのキーを案内（発光）する事で、使いやすさを向上させた。
【００２９】
なお、本発明は、上記実施形態に限定されるものではなく、実施段階では、その要旨を逸脱しない範囲で種々に変形することが可能である。
【図面の簡単な説明】
【００３０】
【図１】本発明の実施の形態に係るリモコン送信装置の外観図。
【図２】各入力切替キーと発行送信の関係を示したタイムチャート。
【図３】時間幅設定キーの押下回数と発光送信の時間間隔との関係を示したタイムチャート。
【図４】録画機器とＴＶモニターが接続されている一例。
【図５】リモコン送信装置のブロック構成の概略図。
【符号の説明】
【００３１】
２１  リモコン操作キー
２２  入出力ポート
２３  ＣＰＵ
２４  ＲＯＭ
２５  ＲＡＭ
２６  出力ポート
２７  送信部
【図１】
2006339853.tif 000003
【図２】
2006339853.tif 000004
【図３】
2006339853.tif 000005
【図４】
2006339853.tif 000006
【図５】
2006339853.tif 000007